【手続補正書】
【提出日】平成16年1月15日(2004.1.15)
【手続補正１】
【補正対象書類名】明細書
【補正対象項目名】特許請求の範囲
【補正方法】変更
【補正の内容】
【特許請求の範囲】
【請求項１】
生物測定鍵であって、該鍵は、生物測定センサによって生成されるデータのバイオコードを表す信号の伝達のための生物測定センサを組み込む鍵本体を有し、該鍵本体が、受け具本体と係合可能であり、そして該信号の自動生成のための該受け具本体の対応する手段との相互作用のための手段を有し、それによって、使用において、該信号が、該生物測定鍵によってアクセス可能な設備に対する許可された使用者にアクセスを与えるために、該受け具本体とインターフェースを取るかまたは該受け具本体に電気的に接続されるプロセッシング手段に送られる、生物測定鍵。
【請求項２】
請求項１に記載の生物測定鍵であって、ここで、前記相互作用手段が、該鍵本体に組み込まれたトランスミッターであり、そして前記対応する手段が前記受け具本体に組み込まれるレシーバである、生物測定鍵。
【請求項３】
請求項１に記載の生物測定鍵であって、ここで、前記相互作用手段が、前記受け具本体の電気的接触（単数または複数）と嵌合する、前記鍵本体および前記対応する手段に組み込まれた１つ以上の電気的接触である、生物測定鍵。
【請求項４】
請求項１または２に記載の生物測定鍵であって、ここで、前記センサが前記鍵本体の絶縁体によって取り囲まれている、生物測定鍵。
【請求項５】
請求項４に記載の生物測定鍵であって、ここで、前記絶縁体が、前記鍵本体のスロットに挿入可能であり、該スロットに接続される、生物測定鍵。
【請求項６】
請求項４または５に記載の生物測定鍵であって、ここで、前記絶縁体が、前記鍵本体にスライド可能に接続され、該鍵本体に結合される、生物測定鍵。
【請求項７】
請求項４、５または６に記載の生物測定鍵であって、ここで、前記生物測定センサが、前記絶縁体の嵌合リセス内に収容される、生物測定鍵。
【請求項８】
請求項３に記載の生物測定鍵であって、ここで、前記鍵本体が、前記１つ以上の接触と係合する回路基板を組み込む、生物測定鍵。
【請求項９】
請求項８に記載の生物測定鍵であって、ここで、前記回路基板が、該鍵本体内の前記生物測定センサを取り囲む絶縁体の空洞内に収容される、生物測定鍵。
【請求項１０】
請求項９に記載の生物測定鍵であって、ここで、前記回路基板が、１つの端部において、前記生物測定センサの隣接端部の対応する接触トレースと係合する接触トレースまたはリードワイヤを有する、生物測定鍵。
【請求項１１】
請求項９または１０に記載の生物測定鍵であって、ここで、前記絶縁体が、前記回路基板の対応する接触またはリードワイヤと接触して複数の接触ポータルを組み込む、生物測定鍵。
【請求項１２】
請求項３〜１０のいずれか一項に記載の生物測定鍵であって、ここで、前記接触または前記接触のそれぞれが、絶縁体スリーブによって少なくとも部分的に取り囲まれる、生物測定鍵。
【請求項１３】
請求項１２に記載の生物測定鍵であって、ここで、前記絶縁体スリーブまたは前記絶縁体スリーブのそれぞれが、該鍵本体の長手軸に直交して整列される、生物測定鍵。
【請求項１４】
請求項１〜１３のいずれか一項に記載の生物測定鍵であって、ここで、前記鍵本体が前記生物測定センサおよびブレード部分を組み込むハンドルまたは握り部分を有する、生物測定鍵。
【請求項１５】
請求項１４に記載の生物測定鍵であって、ここで、前記ブレード部分が、複数の刻み目を有する、生物測定鍵。
【請求項１６】
請求項１４に記載の生物測定鍵であって、ここで、前記ブレード部分が前記受け具本体のスロットに挿入するために、刻み目を組み込まない形状でプレート状である、生物測定鍵。
【請求項１７】
請求項１２または１３に記載の生物測定鍵であって、ここで、各接触が、絶縁体スリーブを収容する際に配置される一対の接触ピンを備える、生物測定鍵。
【請求項１８】
請求項１〜１７のいずれか一項に記載の生物測定鍵であって、ここで、前記鍵本体がスマートチップを組み込む、生物測定鍵。
【請求項１９】
添付の図面を参照して本明細書中に実質的に記載される、生物測定鍵。
【請求項２０】
生物測定鍵と係合可能な受け具本体であって、該生物測定鍵が、生物測定センサによって生成されるデータのバイオコードを表す信号の伝達のための生物測定センサを組み込む鍵本体を有し、そして該鍵本体が、該信号の自動生成のための該受け具本体の対応する手段との相互作用のための手段を有し、それによって、使用において、該信号が、該生物測定鍵によってアクセス可能な設備に対する許可された使用者にアクセスを与えるために、該受け具本体とインターフェースを取るかまたは該受け具本体に電気的に接続されるプロセッシング手段に送られる、受け具本体。
【請求項２１】
請求項２０に記載の受け具本体であって、ここで、前記受け具本体が、１つ以上の電気的接触を有し、これが使用において、前記プロセッシング手段に前記信号を送るために前記生物測定鍵の嵌合接触（単数または複数）と接する、受け具本体。
【請求項２２】
請求項２１に記載の受け具本体であって、ここで、前記受け具本体が、前記生物測定鍵と係合可能な機械的ロック本体であり、該鍵が該ロック本体の対応するタンブラーと係合する複数の刻み目を有するブレード部分を有する、受け具本体。
【請求項２３】
請求項２２に記載の受け具本体であって、ここで、前記ロック本体が、前記タンブラーを有するバレルおよび複数の接触ならびに該バレルとの係合のためのロックシリンダを備え、該ロックシリンダが該バレルの対応する接触と接するための複数の接触ポータルを有する、受け具本体。
【請求項２４】
請求項２０〜２３のいずれか一項に記載の受け具本体であって、該受け具本体が内部プロセッシングユニットを組み込み、これが前記プロセッシング手段に対応する、受け具本体。
【請求項２５】
請求項２４に記載の受け具本体であって、ここで、前記内部プロセッシングユニットが、生物測定データの登録のための外部プロセッサまたはコンピュータとのインターフェースを有する、受け具本体。
【請求項２６】
請求項２２に記載の受け具本体であって、ここで、前記プロセッシング手段による前記信号の分析の後に、前記設備に対するアクセスが、前記ロック本体内に配置されるロックシリンダのリニアモーターまたはソレノイドの作動によって提供され、このリニアモーターまたはソレノイドが該プロセシング手段との電気的接続状態にあり、ここで、該リニアモーターまたはソレノイドが、該ロック本体のロック解除を促進するために、該ロック本体内のロッキングピンを回転するように作動される、受け具本体。
【請求項２７】
請求項２６に記載の受け具本体であって、ここで、前記ロッキングピンの回転が、前記ロックシリンダと係合可能なバレルの対応する回転を引き起こす、受け具本体。
【請求項２８】
請求項２０または２１に記載の受け具本体であって、該受け具本体が、前記生物測定鍵のブレード部分と係合可能なスロットを有し、ここで、該ブレード部分が刻み目を組み込まない、受け具本体。
【請求項２９】
請求項２１〜２８のいずれか一項に記載の受け具本体であって、ここで、その中に含まれる前記接触のそれぞれが、前記生物測定鍵本体の対応する接触ピンと当接した位置にバネ付勢される、受け具本体。
【請求項３０】
請求項２９に記載の受け具本体であって、ここで、その中に含まれる前記接触のそれぞれが、使用において前記生物測定鍵の長手軸と直交する、受け具本体。
【請求項３１】
請求項２９に記載の受け具本体であって、ここで、前記接触のそれぞれが、絶縁体内に収容される、受け具本体。
【請求項３２】
請求項３１に記載の受け具本体であって、ここで、各絶縁体内に、使用において前記生物測定鍵の対応する接触と接するための内側接触およびバネによって隣接内側接触から分離される外側接触が提供される、受け具本体。
【請求項３３】
請求項２８〜３２のいずれか一項に記載の受け具本体であって、ここで、前記センサによって生成される生物測定データの有効または拒絶を示すインジケータ手段が組み込まれる、受け具本体。
【請求項３４】
請求項３３に記載の受け具本体であって、ここで、前記インジケータ手段が、発光ダイオードである、受け具本体。
【請求項３５】
請求項２０に記載の受け具本体であって、前記相互作用手段が、前記鍵本体に組み込まれたトランスミッターであり、そして前記対応する手段が該受け具本体に組み込まれるレシーバである、受け具本体。
【請求項３６】
設備に対する不正なアクセスを妨げるために該設備と共に使用するためのセキュリティーシステムであって、該システムは以下：
（ａ）生物測定鍵であって、該鍵が生物測定センサによって生成されるデータのバイオコードを表す信号の伝達のための生物測定センサを組み込む鍵本体を有する、生物測定鍵；および
（ｂ）該生物測定鍵と係合可能な受け具本体であって、ここで、該鍵本体が、該信号の生成のための該受け具本体の対応する手段と相互作用するための手段を有し、該信号を、許可された使用者に対して該設備に対するアクセスを与えるために、該受け具本体とインターフェイスを取るかまたは該受け具本体と電気的に接触するプロセッシング手段に送る、受け具本体、
を備える、セキュリティーシステム。
【請求項３７】
請求項３６に記載のセキュリティーシステムであって、ここで、前記相互作用手段が１つ以上の電気的接触を有し、そして前記対応する手段が、嵌合接触（単数または複数）を含む、セキュリティーシステム。
【請求項３８】
設備にアクセスを提供するための方法であって、該方法は、以下の工程：
（ｉ）受け具本体に生物測定センサを有する鍵を挿入する工程であって、これによって、該鍵の該受け具本体との係合時に、該生物測定センサによって生成されるデータのバイオコードを表す信号が、該受け具本体と電気的に接続するかまたは該受け具本体とインターフェイスを取るプロセッシング手段に自動的に送られる、工程；
（ｉｉ）該バイオコードの有効を許可するための該プロセッシング手段と関連するデータベースと該バイオコードを照合する工程；および
（ｉｉｉ）該有効が生じた場合に、許可された使用者に該受け具本体を組み込む設備にアクセスを提供する、工程、
を包含する、方法。
【請求項３９】
請求項３８に記載の方法であって、ここで、前記プロセッシング手段が、前記データベースに対する登録を受容する外部コンピュータと連結される、方法。
【手続補正２】
【補正対象書類名】明細書
【補正対象項目名】００５０
【補正方法】変更
【補正の内容】
【００５０】
本発明は、生物測定センサにより生成したデータのバイオコードを表わす信号を伝達するための、生物測定センサを組み込んだ鍵本体を有する生物測定鍵を提供し、その鍵本体は、受け具本体と係合可能であり、この信号の自動生成のための受け具本体の対応する手段と相互作用するための手段を有し、これにより、使用中に、この信号が、その生物測定鍵によってアクセス可能な設備に正当な使用者がアクセスすることを承認するために、受け具本体とインターフェイスを取るかまたは受け具本体と電気的に接続するプロセッシング手段に送られる。


【手続補正３】
【補正対象書類名】明細書
【補正対象項目名】００５１
【補正方法】変更
【補正の内容】
【００５１】
鍵本体の相互作用手段と受け具本体の対応する手段の相互作用は、プロセッシング手段への信号の送るために電気接続の使用を含み得、鍵本体は、以下に述べるように、受け具本体の嵌合接触（単数または複数）の接点と一つ以上の接触を有する。しかしながら、このような相互作用はまた受け具本体のレシーバと相互にやり取りする鍵のトランスミッターを含み、このような相互作用は光学的、赤外線的、無線周波数的または光ファイバー的な性質を有し得る。


【手続補正４】
【補正対象書類名】明細書
【補正対象項目名】００５８
【補正方法】変更
【補正の内容】
【００５８】
本発明はまた、生物測定鍵と係合可能な受け具本体を本発明の範囲内に含み、この生物測定鍵は、生物測定センサによって発生されるデータのバイオコードを示す信号の伝達のための生物測定センサを組み込む鍵本体を有し、この鍵本体は、信号の自動生成のための受け具本体の対応する手段と相互作用するための手段を有し、これによって、使用中に、信号が、生物測定鍵によってアクセス可能である設備に対して正当なユーザーへのアクセスを付与するために、受け具本体とインターフェイスを取るかまたは受け具本体と電気的に接続するプロセッシング手段に送られる。